(57)【特許請求の範囲】
【請求項１】
インバータＩＣと、水晶振動子が並列に接続された水晶発振器であって、
前記インバータＩＣの出力側と前記水晶振動子の一端を直流阻止コンデンサを介して接続し、
前記水晶振動子の両端を各々固定コンデンサを介して接地すると共に、前記直流阻止コンデンサと前記水晶振動子の一端との間の点に抵抗の一端が接続し、前記抵抗の他端にクランプ回路の一端が接続し、前記クランプ回路の他端が接地したことを特徴とする水晶発振器。
【請求項２】
インバータＩＣと水晶振動子で形成される発振ループには直流阻止コンデンサのみが挿入されており、
抵抗を水晶振動子の電圧を調整する可変抵抗としたことを特徴とする請求項１記載の水晶発振器。
【請求項３】
クランプ回路は、２つのダイオードを互いに極性が異なるよう並列に接続したものであることを特徴とする請求項１又は２記載の水晶発振器。
【発明の詳細な説明】
【技術分野】
【０００１】
本発明は、水晶発振器に係り、特に振動子に流れる高周波電流を制限して、安定した発振動作を行うことができ、また、発振周波数を調整できる水晶発振器に関する。
【背景技術】
【０００２】
［従来の水晶発振器（１）：図２］
水晶発振器において、水晶振動子に流れる高周波電流が過大であると、発振周波数が不安定になったり、周波数−温度特性が不規則な変化を起こすことがある。
また、移動体通信等に広く使用される水晶発振器には、小型化に適したインバータＩＣが多く用いられている。
【０００３】
従来の、インバータＩＣを用いた水晶発振器について図２を用いて説明する。図２は、第１の従来の水晶発振器の構成を示す回路図である。
図２に示すように、第１の従来の水晶発振器は、インバータＩＣ１と、水晶振動子２と、帰還抵抗３と、励振レベル制限抵抗４と、固定コンデンサ５，６とから構成され、インバータＩＣ１と水晶振動子２と帰還抵抗３とが並列に接続され、水晶振動子２の両端がそれぞれ固定コンデンサ５，６を介して接地され、インバータＩＣ１の出力端子と水晶振動子２の間に励振レベル制限抵抗４が接続された構成となっている。
【０００４】
上記構成の水晶発振器においては、インバータＩＣ１の出力に直列に励振レベル制限抵抗４を挿入することにより、水晶振動子２に流れる高周波電流を制限するものである。
【０００５】
［従来の水晶発振器（２）：図３］
第２の従来の水晶発振器について図３を用いて説明する。図３は、第２の従来の水晶発振器の構成を示す回路図である。
図３に示すように、第２の従来の水晶発振器は、図２に示した従来の水晶発振器と基本的な構成は同じであり、図２の構成に加えて、調整コンデンサ１１と、ダイオード７，８から成るクランプ回路とを直列に接続した回路を、インバータＩＣ１の出力側となる水晶振動子２の一端に接続し、クランプ回路の他端を接地した構成となっている。クランプ回路のダイオード７，８は、逆向きに並列に接続されている。
【０００６】
第２の従来の水晶発振器は、インバータＩＣ１の出力をクランプして水晶振動子２に入力することにより、水晶振動子２の励振レベルを制限するものである。
【０００７】
［先行技術文献］
尚、インバータＩＣを用いた水晶発振器に関する先行技術としては、特開２００４−１０４５５３号公報（特許文献１）、特開平７−２４０６２９号公報（特許文献２）がある。
特許文献１には、インバータと圧電振動子とが並列に接続された圧電発振器において、クランプ回路とコンデンサとを直列接続した回路を、インバータの入出力間に接続した構成が記載されており、圧電振動子の両端をクランプすると共に、インバータのインピーダンスを急激に低下させて発振利得を低下させ、圧電振動子に流れる電流抑制効果を高めることが記載されている。
つまり、特許文献１は、圧電振動子とクランプ回路のダイオードとが並列に接続されている構成である。
【０００８】
特許文献２には、インバータと圧電振動子とが並列に接続された電圧制御圧電発振器（ＶＣＸＯ）において、圧電振動子と直列にバリキャップダイオードを接続すると共に、バリキャップダイオードのアノードと接地の間にクランプ回路を設けて、圧電振動子の励振レベルを下げることによりバリキャップダイオードに加わる電圧を制限し、ＶＣＸＯの制御電圧対周波数変化の直線性を改善することが記載されている。
【０００９】
【特許文献１】特開２００４−１０４５５５３号公報
【特許文献２】特開平７−２４０６２９号公報
【発明の開示】
【発明が解決しようとする課題】
【００１０】
しかしながら、上記第１の従来の水晶発振器では、インバータＩＣの出力に接続された制限抵抗は、振幅に関わらず電流を制限するため、起動時にも制限抵抗として働き、発振回路のループゲインが下がって発振起動時間が長くなったり、負性抵抗の減少により回路マージンが減少して不発振となるおそれがあるという問題点があった。
【００１１】
また、上記第２の従来の水晶発振器では、インバータＩＣは利得が高く、圧電振動子に流れる電流はインバータＩＣの両端のレベルで決まるため、圧電振動子電流を効果的に減少させることができないという問題点があった。
【００１２】
本発明は上記実状に鑑みて為されたもので、起動時に発振起動時間が遅くなったり、不発振となることを防いで安定した発振動作を行うと共に、水晶振動子に流れる高周波電流を十分低減でき、更に、振動子に印加される電圧を調整可能として所望の発振周波数を得ることができる水晶発振器を提供することを目的とする。
【００１３】
尚、上述した特許文献１及び２には、インバータＩＣの出力側と水晶振動子の一端をコンデンサで接続すると共に、抵抗とクランプ回路とを直列に接続した回路を、インバータＩＣの出力側となる水晶振動子の一端に接続した構成は記載されていない。
【課題を解決するための手段】
【００１４】
上記従来例の問題点を解決するための本発明は、インバータＩＣと、水晶振動子が並列に接続された水晶発振器であって、インバータＩＣの出力側と水晶振動子の一端を直流阻止コンデンサを介して接続し、水晶振動子の両端を各々固定コンデンサを介して接地すると共に、直流阻止コンデンサと水晶振動子の一端との間の点に抵抗の一端が接続し、抵抗の他端にクランプ回路の一端が接続し、クランプ回路の他端が接地したことを特徴としている。
【００１５】
また、本発明は、上記水晶発振器において、インバータＩＣと水晶振動子で形成される発振ループには直流阻止コンデンサのみが挿入されており、抵抗を水晶振動子の電圧を調整する可変抵抗としたことを特徴とする。
【００１６】
また、本発明は、上記水晶発振器において、クランプ回路は、２つのダイオードを互いに極性が異なるよう並列に接続したものであることを特徴としている。
【発明の効果】
【００１７】
本発明によれば、インバータＩＣと、水晶振動子が並列に接続された水晶発振器において、インバータＩＣの出力側と水晶振動子の一端を直流阻止コンデンサを介して接続し、水晶振動子の両端を各々固定コンデンサを介して接地すると共に、直流阻止コンデンサと水晶振動子の一端との間の点に抵抗の一端が接続し、抵抗の他端にクランプ回路の一端が接続し、クランプ回路の他端が接地した水晶発振器としているので、インバータＩＣの出力振幅が小さいときにはクランプ回路は動作せず、振幅が一定レベルより大きくなると振幅を制限する動作を行うため、発振起動時の振幅が小さい時に起動を遅くしたり不発振を引き起こしたりすることはなく、十分振幅が大きくなると制限動作を行って、水晶振動子に流れる高周波電流を抑圧して安定した発振動作を行うと共に、抵抗値を変えることにより水晶振動子に印加される電圧を調整して発振周波数を調整することができる効果がある。
【００１８】
本発明によれば、本発明によれば、インバータＩＣと水晶振動子で形成される発振ループには直流阻止コンデンサのみが挿入されており、抵抗を水晶振動子の電圧を調整する可変抵抗とした上記水晶発振器としているので、水晶発振器の製造後であっても、可変抵抗の抵抗値を調整することにより発振周波数を微調整することができる効果がある。
【発明を実施するための最良の形態】
【００１９】
［発明の概要］
本発明の実施の形態について図面を参照しながら説明する。
本発明の実施の形態に係る水晶発振器は、インバータＩＣと水晶振動子と帰還抵抗とを並列に接続した水晶発振器において、インバータＩＣの出力側となる水晶振動子の一端に、調整抵抗とクランプ回路を直列に接続した回路を接続し、当該回路の他端を接地した構成とし、水晶振動子に流れる信号レベルが一定以上になった場合にのみ高周波電流の振幅を制限することができ、一定レベルよりも小さい発振起動時には影響を与えず、発振起動時間が遅くなったり、不発振となることを防ぐと共に、レベルが大きくなった場合には水晶振動子に流れる電流を十分低減でき、また、調整抵抗の抵抗値を変えることにより水晶振動子に印加される電圧を調整して発振周波数を調整することができるものである。
【００２０】
［実施の形態の水晶発振器：図１］
図１は、本発明の実施の形態に係る水晶発振器の回路図である。
図１に示すように、本発明の実施の形態に係る水晶発振器（本発振器）は、インバータＩＣ１と、水晶振動子２と、帰還抵抗３と、直流阻止コンデンサ９と、固定コンデンサ５，６と、調整抵抗１０と、ダイオード７，８とを備え、インバータＩＣ１と水晶振動子２と帰還抵抗３とが並列に接続され、水晶振動子２の両端がそれぞれ固定コンデンサ５，６を介して接地され、インバータＩＣ１の出力端子と水晶振動子２の間に直流阻止コンデンサ９が接続されている。
【００２１】
そして、本発振器の特徴部分として、ダイオード７，８から成るクランプ回路と、調整抵抗１０とを直列に接続した回路が、インバータＩＣの出力側に、固定コンデンサ６に並列に接続され、クランプ回路の他端は接地されている。
【００２２】
本装置の特徴部分について具体的に説明する。
［直流阻止コンデンサ９］
直流阻止コンデンサ９は、インバータＩＣ１の出力から直流成分をカットするコンデンサである。
【００２３】
［クランプ回路］
クランプ回路は、従来の励振レベル制限抵抗４の代わりに設けられたものであって、ダイオード７，８を互いに逆方向（極性が異なる向き）に並列に接続したものであり、インバータＩＣ１の出力から水晶振動子２に流れる高周波電流を制限する振幅制限回路である。
クランプ回路では、ダイオード７，８の順方向電圧により決まる信号レベルより小さい信号では、ダイオード７，８がＯＦＦ状態であるため電流は流れず、回路動作に影響を与えることはない。
【００２４】
したがって、発振起動時のような信号レベルが小さい場合には、ループゲインが下がることはないため、起動が遅くなることはなく、回路マージンの減少による不発振が発生することもない。
信号レベルがダイオード７，８の特性値より大きくなると、ダイオード７，８がＯＮとなって、振幅制限の動作を開始し、水晶振動子２に過大な高周波電流が流れるのを防ぐ。
そして、ダイオード７，８の順方向電圧の特性を変える（異なる特性のダイオードを選択する）ことにより、制限される振幅を所望のレベルに調整することができるものである。
【００２５】
［調整用抵抗１０］
調整用抵抗１０は、抵抗値を変えることにより、制限する振幅を調整して水晶振動子２に流れる高周波電流を制限すると共に、水晶振動子２に印加される電圧を調整するものである。これにより、本発振器では、水晶振動子２に流れる高周波電流を効果的に抑制できると共に、ＶＣＸＯにおいて発振周波数の微調整を行うことができるものである。
【００２６】
尚、上述した第２の従来の水晶発振器でもクランプ回路によって振幅制限を行うようにしているが、第２の従来の水晶発振器には調整用抵抗１０が設けられておらず、本発振器のように、調整用抵抗１０の抵抗値を変えることにより、水晶振動子２への高周波電流を所望の程度に制限でき、更に、水晶振動子２に印加される電圧を調整して発振周波数を調整する効果は得られない。
【００２７】
また、調整用抵抗１０を可変抵抗としてもよく、可変抵抗とした場合には、発振器の製造後であっても可変抵抗の抵抗値を調整して、水晶振動子２の電圧を更に微調整し、発振周波数を調整することが可能となる。
【００２８】
［実施の形態の効果］
本発明の実施の形態によれば、インバータＩＣ１と、水晶振動子２と、帰還抵抗３とが並列に接続された水晶発振器で、インバータＩＣ１の出力側となる水晶振動子２の一端に、調整用抵抗１０と、ダイオード７，８から構成されるクランプ回路とを直列に接続した回路を接続し、当該回路の他端を接地した構成としているので、インバータＩＣの出力振幅が小さいときにはダイオード７，８がオフとなってクランプ回路は動作せず、振幅が一定レベルより大きくなると振幅を制限する動作を行うため、発振起動時の振幅が小さい時に起動を遅くしたり不発振を引き起こしたりすることはなく、十分振幅が大きくなると制限動作を行って、水晶振動子に流れる高周波電流を抑圧して安定した発振動作を行うことができる効果がある。
【００２９】
また、本発振器によれば、クランプ回路に直列に調整用抵抗１０を設けているので、制限する振幅を調整できると共に、水晶振動子２に印加される電圧を調整して、発振周波数を所望の値に調整することができる効果がある。
【００３０】
更に、調整用抵抗１０を可変抵抗とすることにより、本発振器の製造後であっても可変抵抗の抵抗値を調整して、水晶振動子２の電圧及び発振周波数を調整可能とすることができる効果がある。
【産業上の利用可能性】
【００３１】
本発明は、振動子に流れる高周波電流を制限して、安定した発振動作を行わせることができ、また、発振周波数を調整できる水晶発振器に適している。
【図面の簡単な説明】
【００３２】
【図１】本発明の実施の形態に係る水晶発振器の回路図である。
【図２】第１の従来の水晶発振器の構成を示す回路図である。
【図３】第２の従来の水晶発振器の構成を示す回路図である。
【符号の説明】
【００３３】
１…インバータＩＣ、  ２…水晶振動子、  ３…帰還抵抗、  ４…励振レベル制限抵抗、  ５，６…固定コンデンサ、  ７，８…ダイオード、  ９…直流阻止コンデンサ、  １０…調整抵抗、  １１…調整コンデンサ
【図１】
0005102584.tif 000002
【図２】
0005102584.tif 000003
【図３】
0005102584.tif 000004